(57)【要約】【課題】どのような体格の使用者が背負ったときにも、背負いベルトを使用者の身体に簡単にフィットさせることができ、背負い鞄がランドセルである場合には、体格がどんどん大きくなっていく小学生の身体にあわせて背負いベルトを常にフィットさせておくことができる背負い鞄を提供する。【解決手段】物品を収納可能な収納部２と、この収納部２を背負うための背負いベルト３を有し、背負いベルト３の使用者の身体に接触する部分の少なくとも一部に、背負いベルト２の形状を変更可能とした樹脂製形状保持テ−プ８を付設したものとしている。【選択図】図２
2008054940.tif 000002
【特許請求の範囲】
【請求項１】
物品を収納可能な収納部（２）と、この収納部（２）を背負うための背負いベルト（３）を有し、背負いベルト（３）の使用者の身体に接触する部分の少なくとも一部に、背負いベルト（２）の形状を変更可能とした樹脂製形状保持テ−プ（８）を付設したことを特徴とする背負い鞄。
【請求項２】
使用者の身体に接触する部分の少なくとも一部に樹脂製形状保持テ−プ（８）を付設した背負いベルト（２）を、使用者の肩部に掛け、収納部（１）を使用者の背部に背負い、背負いベルト（２）の樹脂製形状保持テ−プ（８）を付設した部分の形状を使用者の身体に面接触するように調整することを特徴とする背負い鞄の調整方法。
【発明の詳細な説明】
【技術分野】
【０００１】
この発明は、ランドセル、リュックサック、その他、各種の背負い鞄かばん、およびその背負い鞄の調整方法に関するものである。
【背景技術】
【０００２】
この種の背負い鞄は、物品を収納可能な収納部と、この収納部を背負うための背負いベルトを有しているが、背負い鞄を背負ったときに背負いベルトが使用者の身体にフィットしているほど、背負い鞄の重心が身体から離れず、背負い鞄を安定した状態で背負うことができる。
【０００３】
そのため、従来、この種の背負い鞄では、背負いベルトの下連結環や中間連結環等に工夫を凝らし、使用者が背負ったときに背負いベルトが使用者の身体にフィットするようにしている。
【０００４】
例えば、図７に示したような背負い鞄では、一対の背負いベルト２１のそれぞれの下連結環２２の連結辺２２ａを互いに外側に向かって低くなるように傾斜させたものとしている（特許文献１）。
【０００５】
このようにした背負い鞄では、背負いベルト２１は、図９に示したような通常の背負いベルト２１より、図８に示したように背負いベルト２１の下部の外側縁が使用者の身体に近づくように傾斜するため、背負い鞄を背負ったときに、使用者の脇腹から胸にかけた部分にその背負いベルト２１の全幅が面接触し易いものとなり、背負いベルト２１が使用者の身体にフィットするものとなる。
【０００６】
さらに、図１０に示したような背負い鞄では、図１１に示したように一対の背負いベルト２１のそれぞれの中間連結環２３の上半部内側に当たる部分２３ａを使用者の身体の外方にひねった形状としたものとしている（特許文献２）。
【０００７】
このようにした背負い鞄では、背負いベルト２１は、下部の外側縁が使用者の身体に近づくように傾斜するため、背負い鞄を背負ったときに、使用者の脇腹から胸にかけた部分にその背負いベルト２１の全幅が面接触し易いものとなり、背負いベルト２１が使用者の身体にフィットするものとなる。
【特許文献１】実開平３−２２７１１号公報（第１図、第２図）
【特許文献２】特開平９−２６２１１４号公報（図２、図３）
【発明の開示】
【発明が解決しようとする課題】
【０００８】
しかしながら、従来の背負い鞄では、上記したように背負いベルト２１の下部の外側縁が使用者の身体に近づくように傾斜するようにして、使用者が背負ったときに、使用者の脇腹から胸にかけた部分にその背負いベルト２１の全幅が面接触し易いものとなり、背負いベルト２１が使用者の身体にフィットするようにしているものの、その背負いベルト２１の傾斜角度は一定であり、使用者の体格に応じて任意の角度に傾斜させることができないので、どのような体格の使用者の身体にあわせて背負いベルト２１をフィットさせるには不充分である。特に、背負い鞄がランドセルである場合には、体格がどんどん大きくなっていく小学生の身体にあわせて背負いベルト２１を常にフィットさせておくには不充分である。
【０００９】
さらに、従来の背負い鞄では、上記したように使用者の脇腹から胸にかけた部分にその背負いベルト２１の全幅が面接触し易いものとなり、背負いベルト２１が使用者の身体にフィットするようにしているものの、使用者の肩の部分ではその背負いベルト２１が部分的にしか接触せず、全幅が面接触しない場合もあり、背負いベルト２１が使用者の身体に完全にはフィットしないということがあった。
【００１０】
そこで、この発明は、上記従来の問題点を解決するものであり、どのような体格の使用者が背負ったときにも、背負いベルトを使用者の身体に簡単にフィットさせることができ、背負い鞄がランドセルである場合には、体格がどんどん大きくなっていく小学生の身体にあわせて背負いベルトを常にフィットさせておくことができる背負い鞄およびその背負い鞄の調整方法を提供することを目的としてなされたものである。
【課題を解決するための手段】
【００１１】
この発明の背負い鞄は、物品を収納可能な収納部２と、この収納部２を背負うための背負いベルト３を有し、背負いベルト３の使用者の身体に接触する部分の少なくとも一部に、背負いベルト２の形状を変更可能とした樹脂製形状保持テ−プ８を付設したものとしている。
【００１２】
この発明の背負い鞄の調整方法は、使用者の身体に接触する部分の少なくとも一部に樹脂製形状保持テ−プ８を付設した背負いベルト２を、使用者の肩部に掛け、収納部１を使用者の背部に背負い、背負いベルト２の樹脂製形状保持テ−プ８を付設した部分の形状を使用者の身体に面接触するように調整するようにしている。
【発明の効果】
【００１３】
この発明は、以上に述べたように構成されているので、どのような体格の使用者が背負ったときにも、背負いベルトを使用者の身体に簡単にフィットさせることができるものとなり、背負い鞄がランドセルである場合には、体格がどんどん大きくなっていく小学生の身体にあわせて背負いベルトを常にフィットさせておくことができるものとなる。
【発明を実施するための最良の形態】
【００１４】
以下、この発明の実施の形態を、図面に基づいて詳細に説明する。
【００１５】
図は、この発明の背負い鞄をランドセルとした場合の一実施形態を示している。このランドセルは、左右のマチ部１ａ、１ａと前仕切り部１ｂ、背部１ｃおよび底部１ｄから成り、教科書、ノート、筆箱などの物品を収納可能な収納部２を有しており、さらにこの収納部２を背負うために背部１ｃの上部から底部１ｄに掛けて取り付けられた一対の背負いベルト３と、前記収納部２の上部開口を開閉自在とした背タレ４を有したものとしている。
【００１６】
背負いベルト３は、背負い鞄をランドセルとした場合には図示したように、上ベルト３ａと下ベルト３ｂからなるものとしており、上ベルト３ａの上端を上連結具５によってランドセルの背部１ｃの上部に取り付け、下ベルト３ｂの下端を下連結具６によってランドセルの底部１ｄに取り付けており、上ベルト３ａと下ベルト３ｂとは中間連結具７によって連結されており、この中間連結具７によって背負いベルト３の長さ調整ができるようにしている。
【００１７】
なお、背負いベルト３は、背負い鞄をリュックサックなどとした場合には、帯状の一本のベルトからなるものとすることができ、このような場合には、そのベルトの上端を上連結具５によってその背負い鞄の背部１ｃの上部に取り付け、前記ベルトの下端を下連結具６によってその背負い鞄の底部１ｄに取り付けており、背負いベルト３の中間に取り付けた長さ調整具（図示せず）によって長さ調整ができるようにしている。
【００１８】
そして、この背負いベルト３は、使用者の身体に接触する部分の少なくとも一部に、背負いベルト３の形状を変更可能とした樹脂製形状保持テ−プ８を付設したものとしている。
【００１９】
この樹脂製形状保持テ−プ８は、図示したものでは、上ベルト３ａの使用者の肩から胸に接触する部分、および下ベルト３ｂの脇腹に接触する部分に付設したものとしているが、上ベルト３ａまたは下ベルト３ｂの一方だけに付設しても、またこれら以外の部分に付設してもよい。
【００２０】
なお、この発明の背負い鞄は、図７、８に示したような従来の背負い鞄の背負いベルト２１の下連結環２２や、図１０、１１示したような従来の背負い鞄の背負いベルト２１の中間連結環２３と組み合わせたものとして実施することもできる。
【００２１】
そして、この発明の背負い鞄では、前記上ベルト３ａと下ベルト３ｂの両方の樹脂製形状保持テ−プ８を付設した部分、または上ベルト３ａと下ベルト３ｂの一方の樹脂製形状保持テ−プ８を付設した部分を使用者の身体との間に隙間が生じないように面接触するように、すなわち使用者の身体に全幅が面接触するように形状変更可能にしている。
【００２２】
例えば、図１ａに示した状態から図１ｂに示した状態に、前記樹脂製形状保持テ−プ８を付設した部分を曲げることにより形状変更すれば、下ベルト３ｂの外側縁が使用者の身体に近づくように傾斜するため、背負い鞄を背負ったときに、使用者の脇腹から胸にかけた部分に下ベルト３ｂの全幅が面接触するものとなり、使用者の身体にフィットするものとなる。
【００２３】
前記樹脂製形状保持テ−プ８を背負いベルト３に付設するには、この背負いベルト３の内側面に付設したり、背負いベルト３の内部に芯材として付設することができる。
【００２４】
背負いベルト３の上ベルト３ａは、図３に示したように、合成皮革などからなる外装生地９（表生地９ａ、裏生地９ｂ）の間に合成樹脂などからなるクッション材１０を挟み込んだものとしており、外装生地９とクッション材１０の間に前記樹脂製形状保持テ−プ８を差し込み、これら外装生地９、クッション材１０および樹脂製形状保持テ−プ８を一纏めにして縫着したものとしている。
【００２５】
また、背負いベルト３の下ベルト３ｂは、図４に示したように、合成皮革などからなる外装生地９（表生地９ａ、裏生地９ｂ）からなり、この間に前記樹脂製形状保持テ−プ８を差し込み、外装生地９および樹脂製形状保持テ−プ８を鋲１１で固定したものとしている。
【００２６】
なお、この場合には、外装生地９および樹脂製形状保持テ−プ８には、あらかじめ鋲１１を貫通させるための孔１２をそれぞれに形成しておけば、両者がずれることなく固定し易いものとなる。
【００２７】
前記背負いベルト３の形状を変更可能とした樹脂製形状保持テ−プ８とは、形状保持性を有する塑性変形可能な合成樹脂からなるものであり、手指などによって曲げると、任意の角度に曲げることができ、さらに異なる曲げ角度に曲げる力が加わるまでは、その形状をほぼそのまま保持し得る合成樹脂からなるものをいう。
【００２８】
このような樹脂製形状保持テ−プ８としては、ポリオレフィンを一軸方向に高倍率延伸することにより得られるものがあり、例えば積水化学工業株式会社製の合成樹脂製形状保持材料である「フォルテ」（商標名）を挙げることができるが、これに限定されるものではない。
【００２９】
以上のように構成したこの発明の背負い鞄は、その背負いベルトを以下のようにして調整することができる。
【００３０】
先ず、使用者の身体に接触する部分の少なくとも一部に樹脂製形状保持テ−プ８を付設した背負いベルト３を、使用者の肩部に掛け、背負い鞄の収納部２を、使用者の背部に背負う。
【００３１】
そして、背負いベルト３の樹脂製形状保持テ−プ８を付設した部分の形状を使用者の身体との間に隙間が生じないように面接触するように、すなわち前記樹脂製形状保持テ−プ８を付設した部分の形状を使用者の身体に全幅が面接触するように調整する。
【００３２】
前記背負いベルト３をこのように調整するには、背負いベルト３の上ベルト３ａの使用者の肩から胸に接触する部分に樹脂製形状保持テ−プ８を付設したものでは、その部分を使用者の肩から胸にかけての湾曲形状に合わせて折り曲げ、その曲げた形状に維持しておけばよく、背負いベルト３の下ベルト３ｂの脇腹に接触する部分に樹脂製形状保持テ−プ８を付設したものでは、その部分の下ベルト３ｂの外側縁が使用者の脇腹に近づくように傾斜させた状態に折り曲げ、その曲げた形状に維持しておけばよい。
【００３３】
なお、背負い鞄がランドセルである場合には、使用者である小学生の体格が大きくなっていく毎に、上ベルト３ａと下ベルト３ｂとを連結している中間連結具７によって背負いベルト３の長さ調整を行うと共に、前記樹脂製形状保持テ−プ８を付設した部分の形状の調整を行えばよい。
【００３４】
したがって、このように調整したこの発明の背負い鞄を背負った場合には、使用者の肩の位置や、使用者の脇腹から胸にかけた位置において、背負いベルト３の全幅が面接触するようになり、背負いベルト３が使用者の身体にフィットしたものとなる。
【００３５】
そして、背負い鞄がランドセルである場合には、体格がどんどん大きくなっていく小学生の身体に背負いベルト３を常にフィットさせておくことができるものとなる。
【図面の簡単な説明】
【００３６】
【図１ａ】この発明の背負い鞄の背負いベルトの形状の変更前の状態を示す説明図である。
【図１ｂ】この発明の背負い鞄の背負いベルトの形状の変更後の状態を示す説明図である。
【図２】この発明の背負い鞄を使用者が背負った状態を示す側面図である。
【図３】この発明の背負い鞄の背負いベルトの上ベルトの一部拡大断面図である。
【図４】この発明の背負い鞄の背負いベルトの下ベルトの平面図である。
【図５】この発明の背負い鞄の背負いベルトの上ベルトに付設する樹脂製形状保持テープの斜視図である。
【図６】この発明の背負い鞄の背負いベルトの下ベルトに付設する樹脂製形状保持テープの斜視図である。
【図７】背負いベルトが使用者の身体にフィットする工夫を施した従来の背負い鞄の一例を背部側から見た状態を示す説明図である。
【図８】図７に示す従来の背負い鞄の側面図である。
【図９】背負いベルトが使用者の身体にフィットする工夫を施していない従来の背負い鞄の側面図である。
【図１０】背負いベルトが使用者の身体にフィットする工夫を施した従来の背負い鞄の他の例を使用者が背負った状態を示す説明図である。
【図１１】図１０に示す従来の背負い鞄の背負いベルトの中間連結環の斜視図である。
【符号の説明】
【００３７】
２  収納部
３  背負いベルト
８  樹脂製形状保持テープ
【図１ａ】
2008054940.tif 000003
【図１ｂ】
2008054940.tif 000004
【図２】
2008054940.tif 000005
【図３】
2008054940.tif 000006
【図４】
2008054940.tif 000007
【図５】
2008054940.tif 000008
【図６】
2008054940.tif 000009
【図７】
2008054940.tif 000010
【図８】
2008054940.tif 000011
【図９】
2008054940.tif 000012
【図１０】
2008054940.tif 000013
【図１１】
2008054940.tif 000014